(57)【要約】  記録媒体（１００）は、基板（１２０）と、基板上に積層され且つ夫々が所定の色を呈する複数の発色層（１１１）とを備えており、複数の発色層は、レーザ光の照射に伴う温度変化により、少なくとも２つの隣り合う発色層が混合される。【特許請求の範囲】
【請求項１】
基板と、
該基板上に積層され且つ夫々が所定の色を呈する複数の発色層と
を備えており、
前記複数の発色層は、レーザ光の照射に伴う温度変化により、少なくとも２つの隣り合う発色層が混合されることを特徴とする記録媒体。
【請求項２】
前記複数の発色層の夫々の間に保護層を備えることを特徴とする請求の範囲第１項に記載の記録媒体。
【請求項３】
前記レーザ光を照射する側から見て一番手前側に位置する発色層の手前側に保護層を更に備えることを特徴とする請求の範囲第２項に記載の記録媒体。
【請求項４】
前記保護層の光吸収率は、前記複数の発色層の夫々の光吸収率よりも小さいことを特徴とする請求の範囲第２項に記載の記録媒体。
【請求項５】
前記保護層の融点は、前記レーザ光を照射する側から見て一番手前側に位置する保護層の融点が一番低いことを特徴とする請求の範囲第２項に記載の記録媒体。
【請求項６】
前記保護層の融点は、該保護層に隣接する前記発色層の融点よりも高いことを特徴とする請求の範囲第２項に記載の記録媒体。
【請求項７】
前記保護層の融点は、前記複数の発色層の夫々の融点よりも高いことを特徴とする請求の範囲第２項に記載の記録媒体。
【請求項８】
前記複数の発色層の夫々の厚みは、前記保護層の厚みよりも大きいことを特徴とする請求の範囲第２項に記載の記録媒体。
【請求項９】
前記複数の発色層の融点は、前記レーザ光を照射する側から見て一番手前側に位置する発色層の融点が一番低いことを特徴とする請求の範囲第１項に記載の記録媒体。
【請求項１０】
前記複数の発色層は、夫々光吸収ピークが相異なることを特徴とする請求の範囲第１項に記載の記録媒体。
【請求項１１】
前記複数の発色層は、シアニン系有機色素を含むことを特徴とする請求の範囲第１項に記載の記録媒体。
【請求項１２】
所定の記録情報を記録可能な記録層を備えることを特徴とする請求の範囲第１項に記載の記録媒体。
【請求項１３】
請求の範囲第１項に記載の記録媒体にレーザ光を照射する照射手段と、
前記レーザ光のパワーを制御するパワー制御手段と、
前記レーザ光が照射される位置を制御する位置制御手段と
を備えることを特徴とする記録装置。
【請求項１４】
前記記録媒体は、所定の記録情報を記録可能な記録層を更に備えており、
前記記録情報を記録する記録手段を更に備えることを特徴とする請求の範囲第１３項に記載の記録装置。
【請求項１５】
請求の範囲第１項に記載の記録媒体にレーザ光を照射する照射工程と、
前記レーザ光のパワーを制御するパワー制御工程と、
前記レーザ光が照射される位置を制御する位置制御工程と
を備えることを特徴とする記録方法。
【請求項１６】
請求の範囲第１３項に記載の記録装置に備えられたコンピュータを制御する記録制御用のコンピュータプログラムであって、該コンピュータを、前記照射手段、前記パワー制御手段及び前記位置制御手段のうち少なくとも一部として機能させることを特徴とするコンピュータプログラム。
【発明の詳細な説明】
【技術分野】
【０００１】
本発明は、例えばＤＶＤ等の記録媒体、例えばＤＶＤレコーダ等の記録装置及び方法、コンピュータをこのような記録装置として機能させるコンピュータプログラムの技術分野に関する。
【背景技術】
【０００２】
ＣＤやＤＶＤ等のレーザ光を照射することで所定の記録情報を記録可能な記録媒体が普及している。このような記録媒体は、記録情報を記録する記録面に有機色素膜や相変化膜等を有しており、係る有機色素膜や相変化膜の状態の変化により形成される記録ピット（記録マーク）等により、所定の記録情報が記録される。具体的には、記録面に有機色素膜が含まれていれば、レーザ光の照射により、有機色素膜が発熱分解して熱変形することで、記録情報が記録される。即ち、熱変形前の有機色素膜と熱変形後の有機色素膜という２つの状態を、その大きさや形成される位置等を適宜組み合わせることで、記録ピットが形成されている。或いは、記録面に相変化膜が含まれていれば、レーザ光の照射により、相変化膜の相状態が結晶相及び非晶質相との間で相互に変化することで、記録情報が記録される。即ち、結晶相状態にある相変化膜と非晶質相状態にある相変化膜という２つの状態を、その大きさや形成される位置等を適宜組み合わせることで、記録ピットが形成されている。【０００３】
このような記録情報の記録原理を利用して、熱変形前の有機色素膜の領域及び熱変形後の有機色素膜の領域の夫々、又は結晶相状態にある相変化膜の領域及び非晶質相状態にある相変化膜の領域の夫々が形成される位置を適宜制御することで、記録面上に所定の或いは所望の文字や図形等を描く技術が開発されている。【０００４】
他方で、特許文献１に示すように、記録情報が記録される記録層とは別に、夫々が個別に発色可能な（即ち、所定の色を呈することが可能な）複数の発色層を有する記録媒体により、記録媒体に対して所定の或いは所望の文字や図形等を描く技術が開発されている。特許文献１の開示によれば、夫々の発色層に対して異なるレーザパワーのレーザ光を照射することで、夫々の発色層を単独で発色させている。【０００５】
【特許文献１】特開２００３−２７２２４０号公報
【発明の開示】
【発明が解決しようとする課題】
【０００６】
しかしながら、記録面上における有機色素膜や相変化膜の状態の変化は、概して状態の相違によるコントラストが小さいため、ユーザにとっては決して視認しやすい文字や図形等を描くことができないという技術的な問題点を有している。更には、記録面上における有機色素膜や相変化膜の状態の変化を利用しているがゆえに、モノトーンでしか文字や図形等を描くことができない。このため、ユーザが望むような多種多様な描画を実現することが困難或いは不可能であるという技術的な問題点を有している。【０００７】
他方で、特許文献１によれば、複数の発色層の夫々が個別に発色可能であるため、多種多様な描画が可能となる。しかしながら、特許分権１に開示されている構成を実現するには、発色層の材料が限定され得るという技術的な問題点を有している。即ち、単に発色可能な材料を用いるのみでは、特許文献１に開示されている構成は実現することができず、夫々の発色層が、同一ではなく夫々異なるレーザパワーのレーザ光によって発色するという厳しい条件を満たす材料を選択する必要がある。【０００８】
本発明は、例えば上述した従来の問題点に鑑みなされたものであり、例えば所望の表示対象物を視認性よく記録することが可能な記録媒体、記録装置及び方法、並びにコンピュータをこのような記録装置として機能させるコンピュータプログラムを提供することを課題とする。
【課題を解決するための手段】
【０００９】
（記録媒体）
本発明の記録媒体は上記課題を解決するために、基板と、該基板上に積層され且つ夫々が所定の色を呈する複数の発色層とを備えており、前記複数の発色層は、レーザ光の照射に伴う温度変化により、少なくとも２つの隣り合う発色層が混合される。【００１０】
本発明の記録媒体によれば、複数の発色層の夫々が発色する色（呈する色）を用いて、例えばユーザ等が所望の文字や数字や図形等を記録媒体上に（特に、記録媒体のレーベル面に）描く（記録する）ことが可能となる。【００１１】
本発明では特に、複数の色を発色させるために、少なくとも２つの隣り合う発色層（或いは、隣り合う発色層の少なくとも一部の領域部分）を混合させることで、混合前の元の発色層とは異なる色を発色させている。例えば、第１発色層とユーザから見て第１発色層の奥側（或いは、遠い側）に隣り合う第２発色層とを備える記録媒体であれば、第１発色層が呈する色と第１発色層及び第２発色層の夫々が混合することで呈する色との２色を用いて、所望の文字や数字や図形とを描くことができる。或いは、第１発色層とその奥側に隣り合う第２発色層と更にその奥側に隣り合う第３発色層とを備える記録媒体であれば、第１発色層が呈する色と第１発色層及び第２発色層の夫々が混合することで呈する色と第１発色層、第２発色層及び第３発色層の夫々が混合することで呈する色の３色を用いて、所望の文字や数字や図形とを描くことができる。更に、発色層の数が増えたとしても、同様のことが言える。【００１２】
そして、発色層の混合は、レーザ光の照射に伴う温度変化によって行なわれる。このとき、記録媒体の特定の領域にレーザ光を照射することで、混合された発色層が呈する色を用いて所望の文字や数字や図形等を描くことができる。例えば、第１発色層とその奥側に隣り合う第２発色層と更にその奥側に隣り合う第３発色層とを備える記録媒体であれば、第１パワーのレーザ光の照射により一の温度が加えられた場合に第１発色層及び第２発色層の夫々が混合され、第２パワーのレーザ光の照射により一の温度とは異なる他の温度が加えられた場合に第１発色層、第２発色層及び第３発色層の夫々が混合される。この結果、レーザ光が照射された一部の領域の色が変化し、この一部の領域全体として（或いは、一部の領域以外の領域との組合せとして）文字や数字や図形等を描くことができる。【００１３】
このように、本発明によれば、複数の色を用いて所望の文字や数字や図形等を描くことができるがゆえに、その描画（表現）の態様は多種多様となる。即ち、２色、３色或いはさらに多数の色を用いて、多種多様な表現の態様で文字や数字や図形等を描くことができる。或いは、単一の発色層の濃淡や混合された発色層の濃淡などのコントラストを利用して、多種多様な表現の態様で文字や数字や図形等を描くことができる。特に、背景技術のように有機色素膜や相変化膜のコントラストを利用しておらず、発色層単体或いは複数の発色層の混合によって生ずるコントラストを利用できるため、コントラストが大きくなるように文字や数字や図形等を描くことができる。まとめると、ユーザにとって視認性のよい或いは鮮やかな文字や数字や図形等を描くことができる。【００１４】
加えて、複数の発色層の混合は、レーザ光の照射による温度変化により行なわれるため、例えばＤＶＤレコーダ等の既存の装置を用いて、所望の対象物（文字や数字や図形等）を描くことが可能となる。そして、レーザ光のパワーを適宜変化させることで、異なる温度変化を比較的容易に与えることが可能となる。【００１５】
以上の結果、本発明の記録媒体によれば、所望の表示対象物（例えば、文字や数字や図形等）を視認性よく記録することが可能となる。【００１６】
本発明の記録媒体の他の態様は、前記複数の発色層の夫々の間に保護層を備える。【００１７】
この態様によれば、保護層の存在により、複数の発色層が意図せず混合してしまう不都合を防ぐことができる。そして、レーザ光の照射に伴う温度変化により保護層が溶解すれば、該保護層を挟んで位置する２つの発色層を混合させることができる。そして、後述するように、保護層の融点を適宜調整することで、例えばユーザが望むように、少なくとも２つの隣り合う発色層を好適に混合させることが可能となる。【００１８】
上述の如く保護層を備える記録媒体の態様では、前記レーザ光を照射する側から見て一番手前側（即ち、近い側）に位置する発色層の手前側に保護層を更に備えるように構成してもよい。【００１９】
このように構成すれば、レーザ光を照射する側から見て一番手前側（即ち、近い側）に位置する発色層が直接的にユーザに視認されないようにすることができる。【００２０】
上述の如く保護層を備える記録媒体の態様では、前記保護層の光吸収率は、前記複数の発色層の夫々の光吸収率よりも小さいように構成してもよい。【００２１】
このように構成すれば、保護層が呈する色が概ね白色となる。従って、複数の発色層の夫々が呈する色或いは混合される少なくとも２つの発色層が呈する色とコントラストを相対的に大きくすることができる。特に、上述したレーザ光を照射する側から見て一番手前側（即ち、近い側）に位置する発色層の更に手前側に位置する保護層の光吸収率が小さければ、複数の発色層の夫々が呈する色或いは混合される少なくとも２つの発色層が呈する色と該保護層の色とのコントラストをより一層大きくすることができる。このため、より明確な或いははっきりとした（即ち、ユーザにとって視認しやすい）文字や数字や図形等を描くことが可能となる。【００２２】
上述の如く保護層を備える記録媒体の態様では、前記保護層の融点は、前記レーザ光を照射する側から見て一番手前側に位置する保護層の融点が一番低いように構成してもよい。【００２３】
このように構成すれば、レーザ光の照射に伴う温度変化により所定の保護層（或いは、所定の保護層の一部）が溶解し、その結果、少なくとも２つの隣り合う発色層（或いは、その一部）が混合される。特に、レーザ光の照射によって記録媒体に加えられる温度の増加に伴って、手前側の保護層から順に溶解していくため、照射されるレーザ光のパワーを適宜調整すれば、混合される発色層を適宜調整することができる。【００２４】
上述の如く保護層を備える記録媒体の態様では、前記保護層の融点は、前記保護層に隣接する前記発色層の融点よりも高いように構成してもよい。【００２５】
このように構成すれば、このような保護層が溶解する場合には、該保護層に隣接する発色層も溶解する。したがって、このような保護層を溶解させることで、隣り合う２つの発色層を好適に且つ比較的容易に混合させることができる。【００２６】
上述の如く保護層を更に備える記録媒体の態様では、前記保護層の融点は、前記複数の発色層の夫々の融点よりも高いように構成してもよい。【００２７】
このように構成すれば、保護層を溶解させることで、少なくとも２つの隣り合う発色層を好適に且つ比較的容易に混合させることができる。【００２８】
本発明の記録媒体の他の態様は、前記複数の発色層の夫々の厚みは、前記保護層の厚みよりも大きい。【００２９】
この態様によれば、ユーザにとっては、保護層が相対的に視認しにくくなり、他方発色層が相対的に視認しやすくなる。このため、発色層が呈する色を用いて、より明確な或いははっきりとした文字や数字や図形等を描くことが可能となる。【００３０】
本発明の記録媒体の他の態様は、前記複数の発色層の融点は、前記レーザ光を照射する側から見て一番手前側に位置する発色層の融点が一番低い。【００３１】
この態様によれば、例えば上述した保護層がなくとも、レーザ光の照射に伴う温度変化により、所望の発色層を好適に混合することができる。特に、手前側に位置する発色層から順に混合されていく。従って、上述した保護層がなくとも、上述した各種利益を享受することが可能となる。【００３２】
本発明の記録媒体の他の態様は、前記複数の発色層は、夫々光吸収ピークが相異なる。【００３３】
この態様によれば、複数の発色層の夫々が異なる色を呈することが可能となる。従って、より多くの色を用いて、記録媒体に文字や数字や図形等を描くことが可能となる。即ち、文字や数字や図形等をより多彩に描くことが可能となる。【００３４】
本発明の記録媒体の他の態様は、前記複数の発色層の夫々は、シアニン系有機色素を含む。【００３５】
この態様によれば、後述するように様々な色を呈する発色層を複数積層した記録媒体を、比較的容易に実現することが可能となる。【００３６】
本発明の記録媒体の他の態様は、所定の記録情報を記録可能な記録層を更に備える。【００３７】
この態様によれば、上述の如く所望の表示対象物を視認性よく描くことが可能であると共に、記録層へ所定の記録情報を記録することも可能となる。【００３８】
（記録装置）
本発明の記録装置は上記課題を解決するために、上述した本発明の記録媒体（但し、その各種態様を含む）が備える前記複数の発色層に前記レーザ光を照射する照射手段と、前記レーザ光のパワーを制御するパワー制御手段と、前記レーザ光が照射される位置を制御する位置制御手段とを備える。【００３９】
本発明の記録装置によれば、照射手段の動作により、レーザ光が複数の発色層（或いは、その少なくとも一部の領域）へ照射される。この結果、温度変化が生じ、少なくとも２つの隣り合う発色層が混合される。【００４０】
このとき、パワー制御手段の動作により、照射されるレーザ光のパワーが制御（調整）される。係るレーザ光のパワーの制御は、前記複数の発色層に加えられるべき温度変化の度合い（割合・程度）に基づいて行なわれる。即ち、所望の一部の領域に位置する２つの又はそれ以上に複数の発色層を混合させることができる温度変化を加えられるようなパワーを有するレーザ光が照射手段より照射される。加えて、位置制御手段の動作により、レーザ光が照射される位置が制御（調整）される。係る照射位置の制御は、記録媒体に描かれるべき対象物（例えば、文字や数字や図形等）に基づいて行なわれる。まとめると、パワー制御手段及び位置制御手段の夫々の動作により、所望のパワーを有するレーザ光が所望の位置に照射される。この結果、記録媒体上に、所望の対象物を描くことが可能となる。【００４１】
以上の結果、本発明に係る記録装置によれば、上述した本発明に係る記録媒体に対して所望の対象物を比較的容易に描くことが可能となる。【００４２】
尚、上述した本発明の記録媒体における各種態様に対応して、本発明に係る記録装置も各種態様を採ることが可能である。【００４３】
本発明の記録装置の一の態様は、前記記録媒体は、所定の記録情報を記録可能な記録層を更に備えており、前記記録情報を記録する記録手段を更に備える。【００４４】
この態様によれば、上述の如く所望の表示対象物を視認性よく描くことが可能であると共に、記録層へ所定の記録情報を記録することも可能となる。【００４５】
（記録方法）
本発明の記録方法は上記課題を解決するために、上述した本発明の記録媒体（但し、その各種態様を含む）が備える前記複数の発色層に前記レーザ光を照射する照射工程と、前記レーザ光のパワーを制御するパワー制御工程と、前記レーザ光が照射される位置を制御する位置制御工程とを備える。【００４６】
本発明の記録方法によれば、上述した本発明の記録装置と同様の各種利益を享受することができる。【００４７】
尚、上述した本発明の記録装置における各種態様に対応して、本発明に係る記録方法も各種態様を採ることが可能である。【００４８】
（コンピュータプログラム）
本発明に係るコンピュータプログラムは上記課題を解決するために、コンピュータを上述した情報記録装置（但し、その各種形態も含む）の少なくとも一部として機能させる。具体的には、コンピュータを上述の照射手段、パワー制御手段及び位置制御手段の少なくとも一部として機能させる。【００４９】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の記録装置を比較的簡単に実現できる。【００５０】
尚、上述した本発明の記録装置における各種態様に対応して、本発明のコンピュータプログラムも各種態様を採ることが可能である。【００５１】
コンピュータ読取可能な媒体内のコンピュータプログラム製品は上記課題を解決するために、コンピュータにより実行可能なプログラム命令を明白に具現化し、該コンピュータを、上述した情報記録装置（但し、その各種形態も含む）の少なくとも一部として機能させる。具体的には、コンピュータを上述の照射手段、パワー制御手段及び位置制御手段の少なくとも一部として機能させる。【００５２】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（或いはコンピュータ読取可能な命令）から構成されてよい。【００５３】
本発明のこのような作用及び他の利得は次に説明する実施例から更に明らかにされる。【００５４】
以上説明したように、本発明の記録媒体によれば、基板と複数の発色層を備えており、複数の発色層のうち少なくとも２つの発色層は、所定の温度が印加されることにより混合される。従って、所望の表示対象物を視認性よく記録することが可能となる。
【図面の簡単な説明】
【００５５】
【図１】本発明の記録媒体の実施例に係る光ディスクの基本構造を示した概略平面図及び概略断面図である。
【図２】本実施例に係る光ディスクが有するレーベル層の構造を概略的に示す断面図である。
【図３】実施例に係る光ディスクが有するレーベル層の発色層を形成するために用いられる有機色素の一具体例を示す化学式である。
【図４】光ディスクの一部の領域に第１レーザパワーを有するレーザ光を照射した場合の、光ディスクの特にレーベル層の態様を示す断面図及び平面図である。
【図５】光ディスクの他の一部の領域に第２レーザパワーを有するレーザ光を照射した場合の、光ディスクの特にレーベル層の態様を示す断面図及び平面図である。
【図６】光ディスクの更に他の一部の領域に第３レーザパワーを有するレーザ光を照射した場合の、光ディスクの特にレーベル層の態様を示す断面図及び平面図である。
【図７】光ディスクの一部の領域に第３レーザパワーを有するレーザ光を照射した場合の、光ディスクの特にレーベル層の態様を示す断面図及び平面図である。
【図８】本発明の記録装置に係る実施例のブロック図である。
【符号の説明】
【００５６】
１００  光ディスク
１１０  レーベル層
１１１  発色層
１１２  保護層
１２０ａ、１２０ｂ  基板層
１３０  記録層
３００  記録装置
３５１  スピンドルモータ
３５２  光ピックアップ
３５３  信号記録再生手段
３５４  ＣＰＵ
３５８  ＬＤドライバ
３５９  サーボ回路
【発明を実施するための最良の形態】
【００５７】
以下、本発明を実施するための最良の形態について実施例毎に順に図面に基づいて説明する。【００５８】
以下、本発明の実施例を図面に基づいて説明する。【００５９】
（記録媒体）
初めに、図１から図７を参照して本発明の記録媒体に係る実施例について説明を進める。
（１）基本構成
先ず図１を参照して、本発明の情報記録媒体の実施例に係る光ディスクの基本構造について説明する。ここに、図１（ａ）は、本発明の記録媒体の実施例である光ディスク１００の基本構造を示した概略平面図であり、図１（ｂ）は、該光ディスクの概略断面図である。【００６０】
図１（ａ）に示すように、光ディスク１００は、例えば、ＤＶＤと同じくセンターホール１０１を有する直径１２ｃｍ程度の円盤形状を有している。但し、この形状や大きさはこれに限定されるものではなく、様々な大きさ及び様々な形状を採用してもよいことは言うまでもない。【００６１】
図１（ｂ）に示すように、光ディスク１００は、基板層１２０ａ及び１２０ｂを備えており、基板層１２０ａの一方の側の上にレーベル層１１０が形成されており、基板層１２０ｂの他方の側の上に記録層１３０が形成されている。【００６２】
レーベル層１１０は、例えば光ディスク１００に記録されるコンテンツの名称や該コンテンツの著作者等のコンテンツに関する情報を、文字や数字や図形等を用いて記録可能に構成されている。或いは、例えば光ディスク１００のユーザの所望の文字や数字や図形等を適宜記録可能に構成されている。本実施例では特に、レーベル層１１０にレーザパワーを適宜調整ししながらレーザ光ＬＢを照射することで、レーベル層１１０に文字や数字や図形等を記録する（或いは、描く）ことができる。このときのレーザ光ＬＢは、図１（ｂ）中上側から照射される。このレーベル層１１０の具体的な構成については、後に詳述する（図２参照）。【００６３】
基板層１２０ａ及び１２０ｂは、例えばシリコンやプラスチック樹脂等のある程度の硬度を有する部材を含んでおり、光ディスク１００全体の支持部材となる。そして、基板層１２０ａの一方の側に形成されるレーベル層１１０及び基板層１２０ｂの一方の側に形成される記録層１３０の夫々は、例えばエポキシ樹脂等の各種接着材等を用いて接着される。【００６４】
記録層１３０は、コンテンツ等の各種記録データが実際に記録されている。例えば、光ディスク１００が、例えばＣＤ−ＲＯＭやＤＶＤ−ＲＯＭ等のように、記録データが予め記録されている（即ち、ユーザによって記録データを記録不可能な）再生専用の記録媒体であれば、記録層１３０の記録面上にエンボスピットやプリ記録マーク等が形成されることで記録データが記録されている。或いは、光ディスク１００が、例えば、ＣＤ−Ｒ／ＲＷやＤＶＤ−Ｒ／ＲＷ等のように、記録データを１回のみ又は複数回記録可能な記録可能型の記録媒体であれば、所定パワーのレーザ光ＬＢを例えば有機色素膜や相変化膜を含んでなる記録層１３０の記録面に対して照射される。その結果形成される記録マーク等により記録データを記録可能に構成されている。このときのレーザ光ＬＢは、図１（ｂ）中下側から照射される。【００６５】
尚、記録層１３０の記録面は、物理的に又は論理的に複数のエリアに分割されていてもよい。例えば、映画や音楽等の各種コンテンツ等を含む実体情報に相当する記録データを記録するためのユーザデータエリアと、これら実体情報の記録及び再生の少なくとも一方を制御等するための制御情報等に相当する記録データを記録するためのリードインエリアやリードアウトエリアとに分割されていてもよい。また、記録層１３０が複数積層されている多層型の光ディスク１００であってもよい。【００６６】
また、記録層１３０の記録面上には、記録データを記録する際のガイドとなる図示しないグルーブトラック（Groove Track）やランドトラック（Land Track）が交互に形成されている。そして、このグルーブトラックやランドトラックをトレースしながらレーザ光ＬＢが照射されることで、例えばグルーブトラックやランドトラック上に記録マーク等が形成されて記録データが記録される。また、グルーブトラックやランドトラックは、固定された空間周波数で又は所定の周期を中心周波数とするＢＰＭ変調が施されて揺動していてもよいし、例えば記録データを記録する際の記録クロックを生成したり或いは記録面上におけるアドレス位置を取得するために用いられるプリピットが例えばランドトラック上に形成されていてもよい。【００６７】
続いて、図２を参照して、レーベル層１１０のより詳細な構造について説明する。ここに、図２は、本実施例に係る光ディスク１００が有するレーベル層１１０の構造を概略的に示す断面図である。【００６８】
図２（ａ）に示すように、レーベル層１１０は、複数の発色層１１１（即ち、発色層１１１ａ、１１１ｂ、１１１ｃ）と複数の保護層１１２（即ち、保護層１１２ａ、１１２ｂ、１１２ｃ）とを備えている。発色層１１１と保護層１１２とは、夫々が交互に配置されるように形成されている。尚、複数の発色層１１１ａ、１１１ｂ及び１１１ｃの夫々の膜厚は、例えば概ね２００ｎｍ程度となり、他方で複数の保護層１１２ａ、１１２ｂ、１１２ｃの夫々の膜厚は、例えば概ね５０ｎｍ程度となる。もちろんこの膜厚の具体的数値は一例に過ぎず、該具体的数値と異なる数値であってもよいことは言うまでもない。【００６９】
発色層１１１は、例えば所定の色を呈する有機色素を含んでいる。特に、複数の発色層１１１ａ、１１１ｂ及び１１１ｃの夫々は、異なる色を呈している。また、図２（ｂ）に示すように、レーベル層１１０に対して、所定のレーザパワーを有するレーザ光ＬＢが基板層１２０ａを介して照射されることで、保護層１１２ａ、１１２ｂ及び１１２ｃの少なくとも一つ（より具体的には、更にその少なくとも一部）が溶解する。その結果、複数の発色層１１１ａ、１１１ｂ及び１１１ｃの少なくとも２つ（より具体的には、更にその少なくとも一部）が混合され、複数の発色層１１１ａ、１１１ｂ及び１１１ｃの夫々が単体で呈する色とは異なる色を呈することも可能である。【００７０】
そして、異なる色を呈する領域を調整することで、即ち、発色層１１１ａが単独で又は発色層１１１ａ、１１１ｂ及び１１１ｃの少なくとも２つが混合してユーザに視認される領域を適宜調整することで、レーベル層１１０に所定の或いは所望の文字や数字や図形等を描くことができる。この文字や数字や図形等を描く具体的説明については、後に詳述する（図４から図７参照）。【００７１】
このような発色層１１１に用いられる有機色素の一具体例について、図３を参照しながら説明する。ここに、図３は、本実施例に係る光ディスク１００が有するレーベル層１１０の発色層１１１を形成するために用いられる有機色素の一具体例を示す化学式である。【００７２】
図３（ａ）に示すように、例えばシアニン系有機色素を用いて発色層１１１ａ、１１１ｂ及び１１１ｃのいずれか一つを形成することができる。例えば図３（ａ）に示す化学式により特定されるシアニン系有機色素は、概ね６２０ｎｍから７００ｎｍ程度の波長の光を吸収することができ、それによって青緑色を呈する。このシアニン系有機色素の融点は、約３００℃である。【００７３】
また、図３（ａ）に示すシアニン系有機色素の構造のうち、（ＣＨ＝ＣＨ）２にて示される構造部分を、（ＣＨ＝ＣＨ）と変更したシアニン系有機色素は、異なる色を呈する。即ち、図３（ｂ）に示すように、（ＣＨ＝ＣＨ）２にて示される構造部分が（ＣＨ＝ＣＨ）と変更されたシアニン系有機色素は、概ね５００ｎｍから５８０ｎｍ程度の波長の光を吸収することができ、それによって赤紫色を呈する。このシアニン系有機色素の融点は、図３に示す構造部分の変更前のシアニン系有機色素と同様に約３００℃である。このようなシアニン系有機色素を用いて、発色層１１１ａ、１１１ｂ及び１１１ｃのいずれか一つを形成することができる。【００７４】
また、ここで具体的に例示したシアニン系有機色素以外にも様々な有機色素を用いて発色層１１１ａ、１１１ｂ及び１１１ｃのいずれか一つを形成することができる。そして、夫々異なる波長の光を吸収する有機色素を用いて発色層１１１ａ、１１１ｂ及び１１１ｃの夫々を形成することで、レーベル層１１０全体として、より多種多様な発色が可能となる。吸収する光の波長と発色との関係を以下に簡単に説明すると、概ね４００ｎｍから４３５ｎｍの波長の光を吸収する有機色素は、緑黄色を呈する。また、概ね４３５ｎｍから４８０ｎｍの波長の光を吸収する有機色素は、黄色を呈する。また、概ね４８０ｎｍから４９０ｎｍの波長の光を吸収する有機色素は、橙色を呈する。また、概ね４９０ｎｍから５００ｎｍの波長の光を吸収する有機色素は、赤色を呈する。また、概ね５００ｎｍから５６０ｎｍの波長の光を吸収する有機色素は、赤紫色を呈する。また、概ね５６０ｎｍから５８０ｎｍの波長の光を吸収する有機色素は、紫色を呈する。また、概ね５８０ｎｍから５９５ｎｍの波長の光を吸収する有機色素は、青色を呈する。また、概ね５９５ｎｍから６１０ｎｍの波長の光を吸収する有機色素は、緑青色を呈する。また、概ね６１０ｎｍから７５０ｎｍの波長の光を吸収する有機色素は、青緑色を呈する。また、概ね７５０ｎｍから８００ｎｍの波長の光を吸収する有機色素は、緑色を呈する。【００７５】
再び図２（ａ）において、保護層１１２は、例えば光吸収スペクトルがブロードな特性でピークの小さい白色系の（或いは、青白色系ないしは銀白色系の）金属或いは合金を含んでおり、発色層１１１ａ、１１１ｂ及び１１１ｃの夫々が、意図することなく混合することを防止している。他方で、保護層１１２ａ、１１２ｂ及び１１２ｃの少なくとも一つが溶解することで、発色層１１１ａ、１１１ｂ及び１１１ｃの少なくとも２つが混合される。例えば、保護層１１２ｂが溶解することで、発色層１１１ａと発色層１１１ｂとが混合され、保護層１１２ｃが溶解することで、発色層１１１ｂと発色層１１１ｃとが混合される。また、保護層１１２ｂ及び１１２ｃの夫々が溶解することで、発色層１１１ａと発色層１１１ｂと発色層１１１ｃとが混合される。尚、保護層１１２ａが溶解した場合、発色層１１１ａ、１１１ｂ及び１１１ｃの少なくとも２つが混合されることはないが、発色層１１１ａがユーザに視認される。【００７６】
本実施例では特に、保護層１１２ａの融点は、保護層１１２ｂ及び１１２ｃの夫々の融点よりも低い。加えて、保護層１１２ｂの融点は、保護層１１２ｃの融点よりも低い。即ち、レーザ光ＬＢを照射する側から見て、より手前側（或いは、近い側）に位置する保護層１１２ほど、その融点は低くなる。【００７７】
また、発色層１１１ａ及び１１１ｂの夫々の融点は、発色層１１１ａ及び１１１ｂの間に位置する保護層１１２ｂの融点よりも低い。また、発色層１１１ｂ及び１１１ｃの夫々の融点は、発色層１１１ｂ及び１１１ｃの間に位置する保護層１１２ｃの融点よりも低い。但し、発色層１１１ａ、１１１ｂ及び１１１ｃの夫々の融点の関係は、上述の関係が満たされていればはどのような関係であってもよい。【００７８】
このような融点の関係を満たすように発色層１１１及び保護層１１２を形成することで、後述するように、所定のレーザパワーを有するレーザ光ＬＢを照射することで、少なくとも２つの発色層１１１が好適に混合される。尚、保護層１１２には相対的に融点の高い金属或いは合金が用いられるため、発色層１１１に用いられる有機色素の大部分は、保護層１１２よりも融点が低くなる。従って、このような融点の関係を満たすように発色層１１１に用いられる有機色素を選択したとしても、その選択の幅が狭められることはないと言えよう。【００７９】
具体的に保護層１１２に用いられる金属或いは合金について説明する。保護層１１２ａには、例えばＳｎＳｂ５等の合金が用いられる。例えばＳｎＳｂ５は、灰色金属色を呈しており、その融点は約２３２℃から２４０℃となる。また、保護層１１２ｂには、例えば亜鉛（Ｚｎ）等の金属が用いられる。例えば、亜鉛は、青白金属色を呈しておりお、その融点は、約４１９．５８℃となる。また、保護層１１２ｃには、例えばアンチモン（Ｓｂ）等の金属が用いられる。例えば、アンチモンは、銀白金属色を呈しており、その融点は、約６３０．７℃となる。尚、ここで具体的に例示した金属或いは合金以外にも様々な金属や合金を用いて保護層１１２ａ、１１２ｂ及び１１２ｃのいずれか一つを形成することができる。【００８０】
尚、発色層１１１ａ、１１１ｂ及び１１１ｃの夫々は、保護層１１２ｂ及び１１２ｃの夫々により仕切られているため、固体であっても液体であってもよい。要は、例えばユーザの描きたい文字や数字や図形等に応じて、発色層１１１ａ、１１１ｂ及び１１１ｃの少なくとも２つが混合されれば、その状態はどのようなものであってもよい。【００８１】
（２）具体的利用態様
続いて、図４から図７を参照して、本実施例に係る光ディスク１００の具体的な利用の態様について説明する。ここに、図４は、光ディスク１００の一部の領域に第１レーザパワーを有するレーザ光を照射した場合の、光ディスク１００の特にレーベル層１１０の態様を示す断面図及び平面図であり、図５は、光ディスク１００の他の一部の領域に第２レーザパワーを有するレーザ光を照射した場合の、光ディスク１００の特にレーベル層１１０の態様を示す断面図及び平面図であり、図６は、光ディスク１００の更に他の一部の領域に第３レーザパワーを有するレーザ光を照射した場合の、光ディスク１００の特にレーベル層１１０の態様を示す断面図及び平面図であり、図７は、光ディスク１００の一部の領域に第３レーザパワーを有するレーザ光を照射した場合の、光ディスク１００の特にレーベル層１１０の態様を示す断面図及び平面図である。【００８２】
尚、ここでは、上述の図２及び図３において具体的に例示した有機色素や金属或いは合金等を発色層１１１及び保護層１１２に用いた光ディスクを用いて説明を進める。即ち、レーザ光ＬＢを照射する側から順に、保護層１１２ａはＳｎＳｂ５を含む合金により、発色層１１１ａは図３（ｂ）シアニン系有機色素により、保護層１１２ｂはＺｎを含む合金により、発色層１１１ｂは図３（ａ）に示したシアニン系有機色素により、保護層１１２ｃはＳｂを含む合金により、発色層１１１ｃは例えば緑色を呈し且つ融点が約３００℃である有機色素により形成されている光ディスク１００を用いて説明を進める。【００８３】
図４（ａ）に示すように、レーベル層１１０の一部の領域に第１レーザパワーを有するレーザ光ＬＢが照射されたとする。この第１レーザパワーのレーザ光ＬＢが照射されることで、レーベル層１１０の一部の領域の温度が、概ね３００℃以上４００℃未満程度にまで上昇する。言い換えれば、レーベル層１１０の一部の領域の温度を、概ね３００℃以上４００℃未満程度にまで上昇させることができるレーザパワーに相当する第１レーザパワーを有するレーザ光ＬＢが照射される。【００８４】
これにより、融点が約２３２℃から２４０℃程度の保護層１１２ａが溶解し、他方、融点が４１９．５８℃の保護層１１２ｂ及び融点が約６３０．７℃の保護層１１２ｃの夫々は溶解しない。従って、レーザ光ＬＢが照射された一部の領域においては発色層１１１ａがユーザにより視認されるため、赤紫色の領域として視認される。他方、レーザ光ＬＢが照射されない他の領域においては保護層１１２ａがユーザにより視認されるため、白色の領域として視認される。【００８５】
このとき、第１レーザパワーを有するレーザ光ＬＢが照射される一部の領域の形状が、レーベル層１１０上において、アルファベットの“Ｐ”の形状となるようにレーザ光ＬＢを照射すれば、ユーザには、図４（ｂ）に示すように、赤紫色のＰが描かれたレーベル層１１０として視認される。【００８６】
続いて、図５（ａ）に示すように、レーベル層１１０の他の一部の領域に第２レーザパワーを有するレーザ光ＬＢが照射されたとする。この第２レーザパワーのレーザ光ＬＢが照射されることで、レーベル層１１０の他の一部の領域の温度が、概ね４２０℃以上６００℃未満程度にまで上昇する。言い換えれば、レーベル層１１０の他の一部の領域の温度を、概ね４２０℃以上６００℃未満程度にまで上昇させることができるレーザパワーに相当する第２レーザパワーを有するレーザ光ＬＢが照射される。【００８７】
これにより、融点が約２３２℃から２４０℃程度の保護層１１２ａ及び融点が４１９．５８℃の保護層１１２ｂの夫々が溶解し、他方、融点が約６３０．７℃の保護層１１２ｃの夫々は溶解しない。加えて、融点が夫々約３００℃程度である発色層１１１ａ及び発色層１１１ｂ（更には、発色層１１１ｃ）も溶解する。従って、第２レーザパワーを有するレーザ光ＬＢが照射された他の一部の領域においては、発色層１１１ａと発色層１１１ｂとが混合される。即ち、第２レーザパワーのレーザ光ＬＢが照射された他の一部の領域においては、発色層１１１ａと発色層１１１ｂとが混合された黒色ないしは濃灰色に近い色を呈する領域としてユーザに視認される。【００８８】
このとき、第２レーザパワーを有するレーザ光ＬＢが照射される一部の領域の形状が、レーベル層１１０上において、既に描かれている赤紫色のＰを取り囲む円形となるようにレーザ光ＬＢを照射すれば、ユーザには、図５（ｂ）に示すように、赤紫色のＰとそれを取り囲む黒色ないしは濃灰色に近い円とが描かれたレーベル層１１０として視認される。【００８９】
続いて、図６（ａ）に示すように、レーベル層１１０の更に他の一部の領域に第３レーザパワーを有するレーザ光ＬＢが照射されたとする。この第３レーザパワーのレーザ光ＬＢが照射されることで、レーベル層１１０の更に他の一部の領域の温度が、概ね６４０℃以上程度にまで上昇する。言い換えれば、レーベル層１１０の更に他の一部の領域の温度を、概ね６４０℃以上程度にまで上昇させることができるレーザパワーに相当する第３レーザパワーを有するレーザ光ＬＢが照射される。【００９０】
これにより、融点が約２３２℃から２４０℃程度の保護層１１２ａ、融点が４１９．５８℃の保護層１１２ｂ及び融点が約６３０．７℃の保護層１１２ｃの夫々が溶解する。加えて、融点が夫々約３００℃程度である発色層１１１ａ、発色層１１１ｂ及び発色層１１１ｃも溶解する。従って、第３レーザパワーを有するレーザ光ＬＢが照射された更に他の一部の領域においては、発色層１１１ａと発色層１１１ｂと発色層１１１ｃとが混合される。即ち、第３レーザパワーのレーザ光ＬＢが照射された更に他の一部の領域においては、発色層１１１ａと発色層１１１ｂと発色層１１１ｃとが混合された黒色を呈する領域としてユーザに視認される。【００９１】
このとき、第３レーザパワーを有するレーザ光ＬＢが照射される一部の領域の形状が、レーベル層１１０上において、光ディスク１００と同心である所定半径の円となるようにレーザ光ＬＢを照射すれば、ユーザには、図６（ｂ）に示すように、赤紫色のＰとそれを取り囲む黒色に近い円と光ディスク１００と同心の黒色の円とが描かれたレーベル層１１０として視認される。【００９２】
このとき、レーベル層１１０の更に他の一部の領域に第３レーザパワーを有するレーザ光ＬＢが照射されることに代えて、第１レーザパワーを有するレーザ光ＬＢが既に照射されたレーベル層１１０の一部の領域に、第３レーザパワーを有するレーザ光ＬＢが照射されてもよい。これにより、図７（ａ）に示すように、第３レーザパワーを有するレーザ光ＬＢが照射される前は、保護層１１２ａが溶解しているに過ぎなかったレーベル層１１０の一部の領域において、保護層１１２ｂ及び１１２ｃの夫々が更に溶解し、発色層１１１ａと発色層１１１ｂと発色層１１１ｃとが混合される。【００９３】
この結果、図７（ｂ）に示すように、当初赤紫色で描かれていたアルファベットの“Ｐ”は、第３レーザパワーを有するレーザ光ＬＢの照射により、その色が黒色へと変化する。このようにレーザ光ＬＢが既に照射されている領域に、更に異なるレーザパワーを有するレーザ光ＬＢを照射すれば、既に描かれた文字や数字や図形等の色を変化させたり、或いは既に描かれた文字や数字や図形等を上書きすることができる。【００９４】
このように、レーベル層１１０の所定の領域に加えられる温度に応じて、発色層１１１ａ、１１１ｂ及び１１１ｃの少なくとも２つが混合させることができる。このため、発色層１１１ａ、１１１ｂ及び１１１ｃの夫々が呈する色や発色層１１１ａ、１１１ｂ及び１１１ｃの少なくとも２つが混合することで呈する色などの複数の色を用いて、レーベル層１１０上に所望の文字や数字や図形等を描くことができる。特に、複数の色を用いて所望の文字や数字や図形等を描くことができるがゆえに、その描画（表現）の態様は多種多様となる。例えば、図４から図６を参照して説明した具体的利用態様では、保護層１１１ａの色、発色層１１１ａ単独の色、発色層１１１ａ及び１１１ｂが混合することで呈する色、並びに発色層１１１ａ、１１１ｂ及び１１１ｃが混合することで呈する色の合計４色を用いて、所望の文字や数字や図形等を描くことができる。これにより、例えば雑誌等で用いられる２色刷りカラー印刷（或いは、３色刷りカラー印刷）等をレーベル層１１０上で実現することができる。従って、ユーザにとって視認性のよい或いは鮮やかな文字や数字や図形等を描くことができる。【００９５】
特に、保護層１１２ａ、１１２ｂ及び１１２ｃを用いて複数の発色層１１１ａ、１１１ｂ及び１１１ｃの混合を調整しているため、上述の特許文献１と比較して、以下の優れた利点を有している。具体的には、上述した特許文献１に記載の記録媒体では、発色層に用いられる発色材が発色するために加えられるエネルギーの分布（或いは、発色材と顕色材とが反応する温度）が厳しく限定される。即ち、特許文献１では、単に発色層が発色するだけでは足りず、レーザ光ＬＢの照射により、夫々の発色層の発色材を発色させるために加えるエネルギー（或いは、発色材と顕色材とが反応する温度）が夫々異なる必要がある。しかしながら本実施例では、保護層１１２の融点が上述した条件を満たしていれば、発色層１１１としては所定の色を呈すれば足りる。そして、保護層１１２には相対的に融点の高い金属或いは合金が用いられるため、発色層１１１に用いられる有機色素の大部分は、保護層１１２よりも融点が低くなる。このため、保護層１１２が溶解すれば、少なくとも２つの発色層１１１を混合させることができるため、発色層１１１の融点によって、発色層１１１に用いられる材料の選択の幅が大きく限定されることはない。即ち、所定の色を呈する発色層１１１を選択すれば足りるため、特許文献１と比較して、発色層１１１に用いられる材料の選択の幅を広げることができる。更に、発色層１１１に用いられる材料の選択の幅を広げることができるため、より多種多様な材料を用いて、例えばより多種多様な複数の色を呈することができるような発色層１１１を構成することもできる。このため、描かれる文字や数字や図形等のコントラストをより強調することができる。【００９６】
加えて、保護層１１２には白色系の金属或いは合金を用いているため、発色層１１１が呈する色とのコントラストをより強調することができる。特に、レーザ光ＬＢを照射する側から見て一番手前側に位置している保護層１１２ａに白色系の金属或いは合金を用いているため、いわば白系の背景に対して、発色層１１１が呈する色を用いて文字や数字や図形等が描かれる。このため、背景と描かれる文字や数字や図形等とのコントラストをより強調することができ、その結果、ユーザにとって視認性のよい或いは鮮やかな文字や数字や図形等を描くことができる。【００９７】
但し、保護層１１２は必ずしも白色系の金属或いは合金でなくともよい。但し、コントラストを強調するという点からは、白色系の金属或いは合金であることが好ましい。【００９８】
加えて、発色層１１１の膜厚を保護層１１２の膜厚よりも大きくしているため、保護層１１２の存在によらず、発色層１１１が呈する色をユーザに好適に視認させることができる。即ち、保護層１１２が呈する色をユーザに対して相対的に視認させにくくし、他方発色層１１１が呈する色をユーザに対して相対的に視認させやすくできる。この結果、保護層１１２の影響を受けることなく、ユーザにとって視認性のよい或いは鮮やかな文字や数字や図形等を描くことができる。【００９９】
また、複数の発色層１１１ａ、１１１ｂ及び１１１ｃの夫々を区切るという観点からは、レーザ光ＬＢを照射する側から見て一番手前側に位置している保護層１１２ａは必ずしも形成されていなくともよい。但し、背景と描かれる文字や数字や図形等とのコントラストをより強調するという観点からは、保護層１１２ａは形成されていることが好ましい。また、保護層１１２ａが形成されていれば、レーザ光ＬＢの照射前において、ユーザが直接発色層１１１ａを視認することがないという利点も享受することができる。【０１００】
また、複数の発色層１１１ａ、１１１ｂ及び１１１ｃのうち少なくとも２つを混合させるという観点からは、保護層１１２ａ、１１２ｂ及び１１２ｃの夫々が形成されていなくともよい。この場合、発色層１１１ａの融点が発色層１１１ｂの融点よりも低くし、且つ発色層１１１ｂの融点を発色層１１１ｃの融点よりも低くする必要がある。即ち、レーザ光ＬＢを照射する側から見て、より手前側（或いは、近い側）に位置する発色層１１１ほど、その融点を低くする必要がある。【０１０１】
また、保護層１１２も溶解して発色層１１１と混合することから、この保護層１１２を用いて、混合される発色層１１１が呈する色を調整する（変化させる）ように構成してもよい。【０１０２】
また、レーベル層１１０には、記録層１３０と同様にグルーブトラック等の如き構成が形成されていることが好ましい。このグルーブトラック等の如き構成は、レーベル層１１０上に所望の文字や数字や図形を描く際の、そのレーザ光ＬＢの照射位置を制御するために用いられる。即ち、レーベル層１１０上に所望の文字や数字や図形を描く際には、グルーブトラック等の如き構成を用いてレーザ光ＬＢが照射されるべき位置が認識され、且つその位置に照射されるべきレーザ光ＬＢのパワーが制御される。係る動作については、後に詳述する。【０１０３】
（記録装置）
続いて、図８を参照して本発明の記録装置に係る実施例について説明する。【０１０４】
（１）基本構成
先ず、図８を参照して、本実施例に係る記録装置の基本構成について説明する。ここに、図８は、本実施例に係る記録装置３００のブロック図である。【０１０５】
図８に示すように、情報記録再生装置３００は、光ディスク１００、スピンドルモータ３５１、光ピックアップ３５２、信号記録再生手段３５３、ＣＰＵ（ドライブ制御手段）３５４、メモリ３５５、ＬＤドライバ３５８、サーボ回路３５９、データ入出力制御手段３０６、操作ボタン３１０、表示パネル３１１、及びバス３５７により構成されている。【０１０６】
スピンドルモータ３５１は光ディスク１００を回転及び停止させるもので、光ディスク１００へのアクセス時に動作する。より詳細には、スピンドルモータ３５１は、サーボ回路３５９によりスピンドルサーボを受けつつ所定速度で光ディスク１００を回転及び停止させるように構成されている。【０１０７】
光ピックアップ３５２は、本発明における「照射手段」の一具体例を構成しており、記録層１３０への記録データの記録再生やレーベル層１１０へ文字や数字や図形等の記録を行うもので、半導体レーザ装置とレンズから構成される。また、光ピックアップ３５２（或いは、そのレンズ）は、サーボ回路３５９によりトラッキングサーボを受けつつ、光ディスク１００の特に径方向へ移動可能に構成されている。【０１０８】
信号記録再生手段３５３は、本発明における「記録手段」の一具体例を構成しており、光ピックアップ３５２を制御することで光ディスク１００に対して記録データの記録再生を行う。【０１０９】
メモリ３５５は、記録データのバッファ領域や、信号記録再生手段３５３で使用出来るデータに変換する時の中間バッファとして使用される領域などディスクドライブ３００におけるデータ処理全般において使用される。また、メモリ３５５はこれらレコーダ機器としての動作を行うためのプログラムが格納されるＲＯＭ領域と、映像データの圧縮伸張で用いるバッファやプログラム動作に必要な変数が格納されるＲＡＭ領域などから構成される。【０１１０】
ＣＰＵ（ドライブ制御手段）３５４は、信号記録再生手段３５３、メモリ３５５、ＬＤドライバ３５８、サーボ回路３５９と、バス３５７を介して接続され、各制御手段に指示を行うことで、情報記録再生装置３００全体の制御を行う。通常、プロセッサ３５４が動作するためのソフトウェアは、メモリ３５５に格納されている。【０１１１】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。【０１１２】
操作制御手段３０７は情報記録再生装置３００に対する動作指示受付と表示を行うもので、記録又は再生といった操作ボタン３１０による指示をプロセッサ３５４に伝え、記録中や再生中といった情報記録再生装置３００の動作状態を蛍光管などの表示パネル３１１に出力する。【０１１３】
ＬＤドライバ３５８は、本発明における「パワー制御手段」の一具体例を構成しており、ＣＰＵ３５４の制御を受けつつ、光ピックアップ３５２内に設けられた半導体レーザ装置を駆動する。これにより、光ピックアップ３５２より所定のレーザパワーを有するレーザ光ＬＢが照射される。より詳細には、記録データの再生時には読み取り光として第１のレーザパワーを有するレーザ光ＬＢが照射されるように、記録データの記録時には書き込み光として第２のレーザパワーで且つ変調させながらレーザ光ＬＢが照射されるように半導体レーザ装置を駆動する。また、レーベル層１１０への文字や数字や図形等の記録時には、混合されるべき発色層１１１に応じて（即ち、混合されるべき発色層１１１を区分けしている保護層１１２の融点に応じて）、所定のレーザパワーを有するレーザ光ＬＢが照射されるように、半導体レーザを駆動する。【０１１４】
サーボ回路３５９は、本発明における「位置制御手段」の一具体例を構成しており、光ピックアップ３５２の受光結果を処理して得られるトラッキングエラー信号、フォーカスエラー信号、或いはウォブル信号及びＬＰＰ（ランドプリピット）信号等に基づいて、光ピックアップ３５２（或いは、そのレンズ）を移動し、これによりトラッキング制御、フォーカス制御等の各種サーボ処理を実行する。或いはスピンドルモータ３５１の回転数を制御し、これによりスピンドル制御等の各種サーボ処理を実行する。【０１１５】
このように、情報記録再生装置３００の一例である、家庭用機器では映像を記録再生するレコーダ機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをＣＰＵ３５４で実行させることでレコーダ機器としての動作を行っている。【０１１６】
（２）動作原理
続いて、本実施例に係る記録装置３００により、本実施例に係る光ディスク１００のレーベル層１１０に、ユーザの所望の文字や数字や図形等を描く動作原理について説明を進める。【０１１７】
先ず、例えば操作ボタン３１０等を用いて、ユーザがレーベル層１１０に描こうとしている所望の文字や数字や図形等が入力される。また、同時にどのような色でそれらの表示対象物が描かれるか、或いはどのようなコントラストでそれらの表示対象物が描かれるか等が入力される。加えて、レーベル層１１０のいずれの位置にそれらの表示対象物が描かれるか等が入力される。【０１１８】
続いて、ユーザの入力結果に基づいて、レーザ光ＬＢの照射位置及びそのときのレーザ光ＬＢのレーザパワーが決定される。そして、決定された照射位置にレーザ光ＬＢが照射されるように、サーボ回路３５９の動作により、光ピックアップ３５２の位置及び光ディスク１００の回転速度等が制御される。また、決定されたレーザパワーを有するレーザ光ＬＢが照射されるように、ＬＤドライバ３５８の動作により、レーザ光ＬＢを発振する半導体レーザ等の動作が制御される。これにより、図４から図７において具体的に説明したように、レーベル層１１０に所望の文字や数字や図形等が描かれる。【０１１９】
他方で、記録層１３０に記録データを記録する際には、レーベル層１１０に対してレーザ光ＬＢを照射している側とは反対側より記録層１３０に対してレーザ光ＬＢが照射される。このとき、信号記録再生手段３５３の動作により記録されるべき記録データに応じた変調がかけられたレーザ光ＬＢが記録層１３０へ照射されることで、記録層１３０の記録面上に記録マーク等が形成される。また、記録層１３０に記録された記録データを再生する際には、レーザ光ＬＢの反射光を受光して得られるＲＦ信号が信号記録再生手段３５３へ出力され、信号記録再生手段３５３の動作により復調処理や誤り訂正処理等の各種処理がなされ、ディスプレイやスピーカー等の外部機器を介して再生される。【０１２０】
また、上述の実施例では、記録媒体の一例として光ディスク１００及び記録装置の一例として光ディスク１００に係るレコーダについて説明したが、本発明は、光ディスク及びそのレコーダに限られるものではなく、他の高密度記録或いは高転送レート対応の各種記録媒体並びにそのレコーダにも適用可能である。【０１２１】
本発明は、上述した実施例に限られるものではなく、請求の範囲及び明細書全体から読み取れる発明の要旨或いは思想に反しない範囲で適宜変更可能であり、そのような変更を伴う記録媒体、記録装置及び方法、並びに記録制御用のコンピュータプログラムもまた本発明の技術的範囲に含まれるものである。
【産業上の利用可能性】
【０１２２】
本発明に係る記録媒体、記録装置及び方法、並びにコンピュータプログラムは、例えば、ＤＶＤ等の高密度光ディスクに利用可能であり、更に、ＤＶＤレコーダ等の記録装置に利用可能である。また、例えば民生用或いは業務用の各種コンピュータ機器に搭載される又は各種コンピュータ機器に接続可能な記録装置等にも利用可能である。
【図１】
2006035746.tif 000002
【図２】
2006035746.tif 000003
【図３】
2006035746.tif 000004
【図４】
2006035746.tif 000005
【図５】
2006035746.tif 000006
【図６】
2006035746.tif 000007
【図７】
2006035746.tif 000008
【図８】
2006035746.tif 000009
【国際調査報告】
2006035746.tif 000010
2006035746.tif 000011
2006035746.tif 000012
2006035746.tif 000013